(57)【要約】【課題】強階層の放送信号を用いた情報の再生から弱階層の放送信号を用いた情報の再生への復帰の遅れを極力少なくするこのできる「放送受信装置」を提供するものである。【解決手段】受信品質が切換え品質レベルまで低下したときに、情報の再生に弱階層の第１放送信号を用いる第１再生形態から強階層の第２放送信号を用いる第２再生形態に切換え、前記受信品質が復帰品質レベルを越えた状態がある時間継続されたときに、前記第１再生形態に復帰させる再生形態切換え手段と、前記第２再生形態にて情報の再生がなされている状態において、所定数の受信ユニットのうちの情報再生以外の残りの一又は複数の受信ユニットを用いてバックグラウンド処理を実行するバックグラウンド処理手段とを有し、前記バックグラウンド処理がなされる場合の復帰品質レベルを、前記バックグラウンド処理がなされない場合のものより低く設定する構成となる。【選択図】図２
2014165698.tif 000002
【特許請求の範囲】
【請求項１】
階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、
前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、
前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、
前記バックグラウンド処理手段による前記バックグラウンド処理がなされる場合における前記復帰品質レベルを、前記バックグラウンド処理がなされない場合における前記復帰品質レベルより低く設定する復帰条件調整手段とを有する放送受信装置。
【請求項２】
階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、
前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、
前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、
前記バックグラウンド処理手段による前記バックグラウンド処理がなされる場合に、前記第２再生形態から前記第１再生形態に復帰させるための条件である前記受信品質の前記復帰品質レベルを越えた状態が継続される時間は、前記バックグラウンド処理がなされない場合における当該時間より短く設定する復帰条件調整手段とを有する放送受信装置。
【請求項３】
階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、
前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、
前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、
前記復帰品質レベルを、前記切換え品質レベルより低く設定する復帰条件調整手段とを有する放送受信装置。
【請求項４】
前記バックグラウンド処理は、放送チャンネルを探索するためのチャンネルサーチ処理である請求項１乃至３のいずれかに記載の放送受信装置。
【発明の詳細な説明】
【技術分野】
【０００１】
本発明は、地上デジタル放送のように、階層伝送によりデジタル放送される、弱階層の放送信号及び強階層の放送信号を受信しつつ、チャンネルサーチ等のバックグラウンド処理を行う放送受信装置に関する。
【背景技術】
【０００２】
現在行われている地上デジタル放送では、１つのチャンネルの中でセグメント毎に搬送波の変調方式や誤り訂正の強さを変えることのできる階層伝送がなされている。この階層伝送により、例えば、１チャンネルに含まれる１３個のセグメント（セグメント：周波数帯域幅の基本単位）のうち、１２個のセグメントを用いて情報レートが大きく高品質なハイビジョン等の放送信号と、残りの１個のセグメントを用いて電波の変動に強い方式で変調された放送信号とを含む放送信号が放送に供される。階層伝送では、１２個のセグメントを用いて放送される上記情報レートが大きく高品質な放送信号は、電波の変動に弱く、弱階層の放送信号である。一方、１個のセグメントを用いて放送される上記電波の変動に強い方式で変調された放送信号、即ち、強階層の放送信号は、その情報レートが低く低品質なものである。
【０００３】
上記のような階層伝送により放送に供される放送信号を受信する車載用受信装置として、特許文献１に記載されるものが知られている。この車載用受信装置では、車両の走行中に放送信号の受信品質が種々変動することから、受信品質に応じて、前記弱階層の放送信号を用いた情報（放送番組の音声及び映像）の再生（映像表示及び音出力）と前記強階層の放送信号を用いた情報の再生とを切り替えている。即ち、受信品質が良好な場合には、弱階層の放送信号を用いて高品質な情報（音声、ハイビジョン映像等）の再生がなされ（１２セグ放送）、その受信品質が低下した場合には、強階層の放送信号を用いて情報（音声、テレビジョン映像）の再生がなされる（ワンセグ放送）。
【０００４】
また、特許文献１に記載された車載用受信装置では、４つの受信ユニット（アンテナ部及び選局・復調部）によって受信される放送信号をダイバーシティ合成（４ダイバ合成）し、合成受信信号を得ている。そして、その合成受信信号から求められる受信品質のパラメータＣ（搬送波電力）／Ｎ（雑音電力）に基づいて、該合成受信信号に含まれる弱階層の放送信号（１２セグ放送）の部分及び強階層の放送信号（ワンセグ放送）の部分のいずれかを情報の再生に供している。
【０００５】
更に、地上デジタル放送では、各放送局からの放送番組と同一の内容の放送番組が中継局からも異なるチャンネルにて放送されている。また、異なる放送局（同一系列の放送局）が同一の内容の放送番組を異なるチャンネルにて放送していることもある。種々のチャンネル（放送局、中継局）の放送信号を受信し得る従来の車載用受信装置（特許文献１参照）では、選局されたチャンネル（放送局）の放送信号の受信品質が低下してくると、弱階層の放送信号（１２セグ放送）を用いた情報の再生から強階層の放送信号（ワンセグ放送）を用いた情報の再生に切換えた後の所定のタイミングにて、ダイバーシティ合成に利用されていた４つの受信ユニットのうちの一部の一又は複数の受信ユニットにて前記選局されたチャンネルの放送信号を受信して情報（放送番組の音声及び映像）の再生（映像表示及び音出力）を継続しつつ、残りの受信ユニットを用いて、同一の放送番組を放送している中継局等のチャンネルを探すチャンネルサーチをバックグラウンド処理として行う。そして、前記チャンネルサーチにて得られた新たなチャンネルの放送番組に係る放送信号が４つの受信ユニットにて受信されてダイバーシティ合成され、その合成受信信号に含まれる弱階層の放送信号（１２セグ放送）の情報が再生される（弱階層の放送信号（１２セグ放送）の情報再生への復帰）。
【先行技術文献】
【特許文献】
【０００６】
【特許文献１】特開２０１１−８７０５１号公報
【発明の概要】
【発明が解決しようとする課題】
【０００７】
ところで、上述したような車載用受信装置では、放送電波環境の不安定な地域を移動することを考慮して、弱階層の放送信号（１２セグ放送）を用いた情報の再生と、強階層の放送信号（ワンセグ）を用いた情報の再生とを、所謂ヒステリシス特性をもって切り換えることが通常考えらえる。例えば、受信品質が所定の閾値以下となったときに弱階層の放送信号（１２セグ放送）を用いた情報の再生から強階層の放送信号（ワンセグ放送）を用いた情報の再生に切り換える一方、受信品質が前記閾値を越えたときに即座に弱階層の放送信号（１２セグ放送）を用いた情報の再生に復帰させるのではなく、その受信品質が前記閾値を越えた状態がある時間維持されたときに、つまり、受信品質が安定した状態であると判断されたときに、弱階層の放送信号（１２セグ放送）を用いた情報の再生に復帰させる。このようにヒステリシス特性をもって切り換えることにより、受信品質が不安定となる放送電波環境の不安定な地域を移動する際に、弱階層の放送信号（１２セグ放送）を用いた情報の再生と強階層の放送信号（ワンセグ）を用いた情報の再生とが頻繁に切り替わるという事態を防止することができる。
【０００８】
しかしながら、強階層の放送信号（ワンセグ）を用いた情報の再生を行っている最中に、前述したように一部の受信ユニット（例えば、２つの受信ユニット）を用いて前述したチャンネルサーチ等のバックグラウンド処理を実行していると、残りの受信ユニットでの受信品質は、全ての受信ユニット（例えば、４つの受信ユニット）での受信品質より低下した状態となっている。このため、前記バックグラウンド処理が終了しても、その低下した状態の受信品質の影響が残り、ヒステリシス特性に従った弱階層の放送信号（１２セグ放送）を用いた情報の再生への復帰が遅れてしまう。
【０００９】
本発明は、このような事情に鑑みてなされたもので、強階層の放送信号を用いた情報の再生から弱階層の放送信号を用いた情報の再生への復帰の遅れを極力少なくするこのできる放送受信装置を提供するものである。
【課題を解決するための手段】
【００１０】
本発明に係る放送受信装置は、階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、前記バックグラウンド処理手段による前記バックグラウンド処理がなされる場合における前記復帰品質レベルを、前記バックグラウンド処理がなされない場合における前記復帰品質レベルより低く設定する復帰条件調整手段とを有する構成となる。
【００１１】
このような構成により、強階層の第２放送信号を用いた情報の再生がなされる第２再生形態において、所定数の受信ユニットの一部の一又は複数の受信ユニットを放送信号の受信に用いつつ、残りの一又は複数の受信ユニットを用いて所定のバックグラウンド処理がなされる場合、前記第２再生形態から弱階層の第１放送信号を用いた情報の再生がなされる第１再生形態に復帰するための条件となる復帰品質レベルが、前記バックグラウンド処理がなされない場合の復帰品質レベルに比べて低く設定される。この場合、バックグラウンド処理のために所定数の受信ユニットの一部の一又は複数の受信ユニットが用いられ、残りの受信ユニットによる放送信号の受信品質が前記所定数の全受信ユニットによる放送信号の受信品質より低下しても、前記低下させた復帰受信品質レベルを基準にして前記第２再生形態から前記第１再生形態への復帰が判断される。
【００１２】
本発明に係る放送受信装置は、階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、前記バックグラウンド処理手段による前記バックグラウンド処理がなされる場合に、前記第２再生形態から前記第１再生形態に復帰させるための条件である前記受信品質の前記復帰品質レベルを越えた状態が継続される時間は、前記バックグラウンド処理がなされない場合における当該時間より短く設定する復帰条件調整手段とを有する構成となる。
【００１３】
このような構成により、強階層の第２放送信号を用いた情報の再生がなされる第２再生形態において、所定数の受信ユニットの一部の一又は複数の受信ユニットを放送信号の受信に用いつつ、残りの一又は複数の受信ユニットを用いて所定のバックグラウンド処理がなされる場合に、前記第２再生形態から弱階層の第１放送信号を用いた情報の再生がなされる第１再生形態に復帰するための条件である受信品質の復帰品質レベルを越えた状態が継続される時間が、前記バックグラウンド処理がなされない場合における当該時間より短く設定される。この場合、前記残りの一又は複数の受信ユニットでの放送信号の受信品質が所定数全ての受信ユニットでの放送信号の受信品質より低下することに起因してその受信品質の復帰品質レベルへの到達が遅れたとしても、受信品質が復帰品質レベルに達した後の前記復帰品質レベルを継続すべき時間がより短くなる。
【００１４】
また、本発明に係る放送受信装置は、階層伝送によりデジタル放送される、弱階層の第１放送信号と強階層の第２放送信号とを含む放送信号を所定数の受信ユニットを有する受信部にて受信し、該受信部にて受信される前記第１放送信号及び前記第２放送信号のいずれかに基づいて情報を再生する放送受信装置であって、前記放送信号の前記受信部での受信品質が所定の切換え品質レベルまで低下したときに、情報の再生に前記第１放送信号を用いる第１再生形態から情報の再生に前記第２放送信号を用いる第２再生形態に切換え、前記受信品質が所定の復帰品質レベルを越えた状態がある時間継続されたときに、前記第２再生形態から前記第１再生形態に復帰させる再生形態切換え手段と、前記第２再生形態にて情報の再生がなされている状態において、前記所定数の受信ユニットの一部の一又は複数の受信ユニットを前記情報の再生に係る前記放送信号の受信に用いつつ、残りの一又は複数の受信ユニットを用いて所定のバックグラウンド処理を実行するバックグラウンド処理手段と、前記復帰品質レベルを、前記切換え品質レベルより低く設定する復帰条件調整手段とを有する構成となる。
【００１５】
このような構成により、強階層の第２放送信号を用いた情報の再生がなされる第２再生形態において、所定数の受信ユニットの一部の一又は複数の受信ユニットを放送信号の受信に用いつつ、残りの一又は複数の受信ユニットを用いて所定のバックグラウンド処理がなされる場合、前記第２再生形態から弱階層の第１放送信号を用いた情報の再生がなされる第１再生形態に復帰するための条件である復帰品質レベルが、前記第１再生形態から前記第２再生形態に切換るための条件である切換え品質レベルより低く設定される。この場合、バックグラウンド処理のために所定数の受信ユニットの一部の一又は複数の受信ユニットが用いられ、残りの受信ユニットによる放送信号の受信品質が前記所定数の全受信ユニットによる放送信号の受信品質より低下しても、前記第１再生形態から前記第２再生形態に切換るための条件である切換え品質レベルより低い復帰受信品質レベルを基準にして前記第２再生形態から前記第１再生形態への復帰が判断される。
【００１６】
前述した各放送受信装置において、前記バックグラウンド処理は、放送チャンネルを探索するためのチャンネルサーチ処理である構成とすることができる。
【００１７】
このような構成により、強階層の第２放送信号を用いた情報の再生がなされる第２再生形態において、所定数の受信ユニットの一部の一又は複数の受信ユニットを放送信号の受信に用いつつ、残りの一又は複数の受信ユニットを用いてチャンネルサーチ処理がなされる。
【発明の効果】
【００１８】
本発明に係る放送受信装置によれば、強階層の第２放送信号を用いた情報の再生がなされる第２再生形態において、バックグラウンド処理のために所定数の受信ユニットの一部の一又は複数の受信ユニットが用いられ、残りの受信ユニットによる放送信号の受信品質が前記所定数の全受信ユニットによる放送信号の受信品質より低下しても、前記低下させた復帰受信品質レベルを基準にして前記第２再生形態から前記第１再生形態への復帰が判断されるので、強階層の放送信号を用いた情報の再生（第２再生形態）から弱階層の放送信号を用いた情報の再生（第１再生形態）への復帰の遅れを極力少なくすることができる。
【００１９】
また、本発明に係る放送受信装置によれば、強階層の第２放送信号を用いた情報の再生がなされる第２再生形態において、バックグラウンド処理のために所定数の受信ユニットの一部の一又は複数の受信ユニットが用いられ、残りの一又は複数の受信ユニットでの放送信号の受信品質が所定数全ての受信ユニットでの放送信号の受信品質より低下することに起因してその受信品質の復帰品質レベルへの到達が遅れたとしても、受信品質が復帰品質レベルに達した後の前記復帰品質レベルを継続すべき時間がより短くなるので、強階層の放送信号を用いた情報の再生（第２再生形態）から弱階層の放送信号を用いた情報の再生（第１再生形態）への復帰の遅れを極力少なくすることができる。
【００２０】
更に、本発明に係る放送受信装置によれば、強階層の第２放送信号を用いた情報の再生がなされる第２再生形態において、バックグラウンド処理のために所定数の受信ユニットの一部の一又は複数の受信ユニットが用いられ、残りの受信ユニットによる放送信号の受信品質が前記所定数の全受信ユニットによる放送信号の受信品質より低下しても、第１再生形態から前記第２再生形態に切換るための条件である切換え品質レベルより低い復帰受信品質レベルを基準にして前記第２再生形態から前記第１再生形態への復帰が判断されるので、強階層の放送信号を用いた情報の再生（第２再生形態）から弱階層の放送信号を用いた情報の再生（第１再生形態）への復帰の遅れを極力少なくすることができる。
【図面の簡単な説明】
【００２１】
【図１】本発明の実施の形態に係る放送受信装置である地上デジタル放送受信装置の構成を示すブロック図である。
【図２】図１に示す放送受信装置の制御部におけるフルセグ再生形態とワンセグ再生形態との自動切換え処理の一例を示すフローチャートである。
【図３】図２に示す手順に従ってフルセグ再生形態とワンセグ再生形態との自動切換え処理がなされた場合における、受信品質（Ｃ／Ｎ）の変化と、フルセグ再生形態とワンセグ再生形態との切換えとの関係を示す図である。
【図４】図１に示す車載用受信装置の制御部によるチャンネルサーチ処理（バックグラウンド処理）の手順を示すフローチャートである。
【図５】図２に示す手順に従ってフルセグ再生形態とワンセグ再生形態との自動切換え処理がなされる過程で実行されるチャンネルサーチ処理において中継チャンネルがみつかった場合における、受信品質（Ｃ／Ｎ）と、フルセグ再生形態とワンセグ再生形態との切換えと、チャンネルサーチとの関係を示すタイミングチャートである。
【図６】図１に示す放送受信装置の制御部におけるフルセグ再生形態とワンセグ再生形態との自動切換え処理の他の一例を示すフローチャートである。
【図７】図６に示す手順に従ってフルセグ再生形態とワンセグ再生形態との自動切換え処理がなされる過程で実行されるチャンネルサーチ処理において中継チャンネルがみつかった場合における、受信品質（Ｃ／Ｎ）と、フルセグ再生形態とワンセグ再生形態との切換えと、チャンネルサーチとの関係を示すタイミングチャートである。
【発明を実施するための形態】
【００２２】
本発明の実施の一形態について図面を用いて説明する。
【００２３】
本発明の実施の形態に係る放送受信装置は、車載用の地上デジタル放送受信装置であって、図１に示すように構成される。
【００２４】
図１に示す放送受信装置（地上デジタル放送受信装置）１０は、地上デジタル放送を受信することができる。この地上デジタル放送では、前述したように、階層伝送により、１チャンネルに含まれる１３セグメントのうち、１２個のセグメントを用いた情報レートが大きく（例えば、多値ＱＡＭによる）高品質な弱階層の放送信号（以下、フルセグ放送信号（第１放送信号）という）と、残りの１個のセグメントを用いた電波の変動に強い方式で変調（例えば、ＱＰＳＫ）された強階層の放送信号（以下、ワンセグ放送信号（第２放送信号）という）とを含む放送信号が放送に供される。この放送信号は、放送すべき情報（音声、映像、データ等）に基づいて変調される複数のキャリアがＯＦＤＭ（Orthogonal Frequency Division Multiplexing：直交周波数分割多重）化されたＯＦＤＭ信号として伝送される。
【００２５】
階層伝送される前記放送信号（ＯＦＤＭ信号）を受信する放送受信装置１０は、図１に示すように、制御部１１、４つのチューナ部（受信ユニット）１２ａ、１２ｂ、１２ｃ、１２ｄを含む受信部１２、切換え部１３、第１のＯＦＤＭ復調部１４ａ、第２のＯＦＤＭ復調部１４ｂ、デコーダ１５、表示処理部１６及びデジタル／アナログ変換器（Ｄ／Ａ変換器）１７を有している。制御部１１は、受信状態判定部１１１、切換え制御部１１２、サーチ処理部１１３及びＥＰＧ作成部１１４を有している。また、放送受信装置１０は、インストルメントパネルに設けられたセンタユニット２０に接続されている。センタユニット２０は表示装置２１及び操作部２２を有し、このセンタユニット２０にはスピーカ２５が接続されている。
【００２６】
受信部１２を構成する４つのチューナ部１２ａ〜１２ｄのそれぞれは、伝送チャンネルを選局し、その選局した伝送チャンネルの放送信号（ＯＦＤＭ信号）を受信する。この放送信号には、前述した弱階層のフルセグ放送信号（第１放送信号）と強階層のワンセグ放送信号（第２放送信号）とが含まれている。切換え部１３は、制御部１１における切換え制御部１１２の制御のもと、２つのチューナ部１２ａ、１２ｂからの放送信号が常時第１のＯＦＤＭ復調部１４ａに供給される状態を維持しつつ、他の２つのチューナ部１２ｃ、１２ｄからの放送信号を第１のＯＦＤＭ復調部１４ａ及び第２のＯＦＤＭ復調部１４ｂのいずれかに切り換える。
【００２７】
第１のＯＦＤＭ復調部１４ａ及び第２のＯＦＤＭ復調部１４ｂのそれぞれは、切換え部１３を介して入力される放送信号（ＯＦＤＭ信号）を復調してデジタル受信信号（トランスポートパケット）を生成する。制御部１１は、第１のＯＦＤＭ復調部１４ａからの複数（４つまたは２つ）のデジタル受信信号を所定のアルゴリズムに従ってダイバーシティ合成し、それにより得られた合成受信信号から、音声信号、映像信号及びその他の信号（データ、ＥＰＧ情報等）を分離する。そして、制御部１１は、音声信号及び映像信号をデコーダ１５に供給し、データやＥＰＧ情報等のその他の信号については、内部で処理する。デコーダ１５は、制御部１１からの音声信号及び映像信号を復号する。デコーダ１５での復号にて得られた復号映像信号は、表示処理部１６にて所定の表示処理が施されてセンタユニット２０に供給される。また、デコーダ１５での復号にて得られた復号音声信号は、Ｄ／Ａ変換器１７にてアナログ音声信号に変換されて、センタユニット２０に供給される。
【００２８】
センタユニット２０では、表示処理部１６からの復号映像信号に基づいて放送番組の映像が表示装置２１に表示され、復号音声信号に基づいて放送番組の音声がスピーカ２５から出力される。
【００２９】
制御部１１における受信状態判定部１１１は、ダイバーシティ合成により得られた合成受信信号に基づいて、放送信号（ＯＦＤＭ信号）の受信品質、例えば、搬送波電力（Ｃ）と雑音電力（Ｎ）との比Ｃ／Ｎを、受信品質を表すパラメータとして演算し、このＣＮに基づいて受信品質を判定する。制御部１１におけるサーチ処理部１１３は、２つのチューナ部１２ｃ、１２ｄからの放送信号（ＯＦＤＭ信号）を復調する第２のＯＦＤＭ復調部１４ｂからのデジタル受信信号に基づいて受信可能なチャンネルを探すためのチャンネルサーチ処理を行う。このチャンネルサーチ処理の詳細については後述する。ＥＰＧ作成部１１４は、２つのチューナ部１２ｃ、１２ｄからの放送信号（ＯＦＤＭ信号）を復調する第２のＯＦＤＭ復調部１４ｂからのデジタル受信信号から分離したＥＰＧ情報に基づいてＥＰＧ（電子番組ガイド）を作成するための処理を行う。サーチ処理部１１３によるチャンネルサーチ処理及びＥＰＧ作成部１１４によるＥＰＧ作成処理は、例えば、受信される放送信号に基づいた情報（音声、映像）の再生（出力）に係る処理のバックグラウンドにて行うことができる。
【００３０】
制御部１１は、弱階層のフルセグ放送信号を情報の再生に用いるフルセグ再生形態（第１再生形態）と、強階層のワンセグ放送信号を情報の再生に用いるワンセグ再生形態（第２再生形態）とを、受信状態判定部１１１により判定される受信品質に応じて切り換える（再生形態切換え手段）。制御部１１は、例えば、フルセグ再生形態では、ダイバーシティ合成により得られる合成受信信号のうちフルセグ放送信号に対応する部分をデコーダ１５に供給し、ワンセグ再生形態では、ダイバーシティ合成により得られる合成受信信号のうちワンセグ放送信号に対応する部分をデコーダ１５に供給する。制御部１１での前記フルセグ再生形態と前記ワンセグ再生形態との切換えは、例えば、図２に示す手順に従ってなされる。
【００３１】
図２において、受信状態判定部１１１は、Ｃ／Ｎで表される受信品質が、第１品質レベル（閾値）Ｔｈ１以下であるか否かを判定する（Ｓ１１）。受信状態判定部１１１により受信品質が良好であって第１品質レベルＴｈ１以下ではないと判定されると（Ｓ１１でＮＯ）、制御部１１は、フルセグ再生形態を維持する（Ｓ１２）。これにより、受信品質（Ｃ／Ｎ）が第１品質レベルＴｈ１を越えて良好な受信環境では、フルセグ再生形態が維持され、弱階層のフルセグ放送信号に基づいた高品質な映像及び音声の再生（表示装置２１での映像表示、スピーカ２５からの音出力）がなされる。
【００３２】
車両が走行して、放送信号の受信環境が悪くなり、例えば、図３の時刻ｔ１で、受信状態判定部１１１により受信品質（Ｃ／Ｎ）が第１品質レベルＴｈ１（切換え品質レベル）以下であると判定されると（Ｓ１１でＹＥＳ）、制御部１１は、前記フルセグ再生形態から前記ワンセグ再生形態に切り換える（Ｓ１３：再生形態切換え手段）。これにより、放送信号の受信環境が悪く、受信品質（Ｃ／Ｎ）が第１品質レベルＴｈ１（切換え品質レベル）まで低下すると、前記ワンセグ再生形態に切り替わって、ノイズ等に強い強階層のワンセグ放送信号を用いて情報（音声、映像）の再生（映像表示、音出力）がなされる。
【００３３】
その後、制御部１１は、バックグラウンドで後述するようなチャンネルサーチ処理（バックグラウンド処理）がなされるか否かを判定する（Ｓ１４）。チャンネルサーチ処理がなされなければ（Ｓ１４でＮＯ）、制御部１１は、前記フルセグ再生形態からワンセグ再生形態に切り換える条件である前記第１品質レベルＴｈ１（切換え品質レベル）と同じ品質レベル（Ｔｈ１）をワンセグ再生形態からフルセグ再生形態に復帰させる復帰条件の復帰品質レベルＴｈｘとして設定する（Ｓ１５）。そして、制御部１１は、受信品質（Ｃ／Ｎ）が前記復帰品質レベルＴｈｘ（＝Ｔｈ１）を越えたか否かを判定する（Ｓ１６）。受信品質（Ｃ／Ｎ）が回復することなく、復帰品質レベルＴｈｘ（＝Ｔｈ１）を越えていないと（Ｓ１６でＮＯ）、制御部１１は、後述するタイマＴがゼロであることを確認して（Ｓ１７でＹＥＳ）、ワンセグ再生形態を維持する（Ｓ１８）。
【００３４】
チャンネルサーチ処理がなされない状態では、更に、制御部１１は、復帰品質レベルＴｈｘとして第１品質レベルＴｈ１が設定されていること（Ｓ１９でＮＯ）、及びチャンネルサーチ処理がなされないこと（Ｓ１４でＮＯ）を確認するとともに、復帰品質レベルＴｈｘを第１品質レベルＴ１に維持しつつ（Ｓ１５）、上述した処理（Ｓ１６〜Ｓ１８）を実行する。その結果、受信品質が復帰品質レベルＴｈｘとして設定された第１品質レベルＴｈ１に達していない状態（Ｓ１６でＮＯ）では、ワンセグ再生形態が維持される（Ｓ１８）。
【００３５】
前記チャンネルサーチ処理が行われずに前記ワンセグ再生形態が維持される状態で、車両の走行によって、放送信号の受信環境が改善されて、受信品質（Ｃ／Ｎ）が前記復帰品質レベルＴｈｘ（＝第１品質レベルＴｈ１）を越えると（Ｓ１６でＹＥＳ）、制御部１１は、タイマＴがゼロであるか（Ｔ＝０）否かを判定し（Ｓ２２）、タイマＴがゼロであれば（Ｓ２２でＹＥＳ）、そのタイマＴをスタートさせ（Ｓ２３）、該タイマＴが所定時間Ｔｏに達したか否かを判定する（Ｓ２４）。タイマＴが所定時間Ｔｏに達していない場合（Ｓ２４でＮＯ）、制御部１１は、ワンセグ再生形態を維持する（Ｓ１８）。以後、受信品質（Ｃ／Ｎ）が復帰品質レベルＴｈｘ（＝Ｔｈ１）を越えて受信環境が良好な場合であっても（Ｓ１６でＹＥＳ）、タイマＴが動作しつつワンセグ再生形態が維持される（Ｓ１４〜Ｓ１６、Ｓ２２〜Ｓ２４、Ｓ１８〜Ｓ１９）。
【００３６】
放送信号の受信環境が不安定な状況では、受信品質（Ｃ／Ｎ）が一時的に前記復帰品質レベルＴｈｘ（＝Ｔｈ１）以下に低下することがある。この場合（Ｓ１６でＮＯ）、制御部１１は、タイマＴがゼロでないことを確認して（Ｓ１７でＮＯ）、タイマＴをリセットし（Ｓ２１）、ワンセグ再生形態を更に維持する（Ｓ１８）。その後、再び放送信号の受信環境の回復により受信品質（Ｃ／Ｎ）が前記復帰品質レベルＴｈｘ（＝Ｔｈ１）を越えると（Ｓ１６でＹＥＳ）、制御部１１は、タイマＴがゼロであることを確認して（Ｓ２２でＹＥＳ）、再度、タイマＴをスタートさせる（Ｓ２３）。そして、制御部１１は、タイマＴが所定時間Ｔｏに達したか否かを判定し（Ｓ２４）、タイマＴが所定時間Ｔｏに達していないと（Ｓ２４でＮＯ）、受信品質（Ｃ／Ｎ）が復帰品質レベルＴｈｘ（＝Ｔｈ１）を越えているものの、ワンセグ再生形態を維持する（Ｓ１８）。
【００３７】
例えば、図３の時刻ｔ１と時刻ｔ２との間の状況のように、受信品質（Ｃ／Ｎ）が第１品質レベルＴｈ１（復帰受信レベルＴｈｘ）を越える状態が所定時間Ｔｏ維持できないような、放送信号の受信環境が不安定な状況では、タイマＴのスタート（Ｓ１６でＹＥＳ、Ｓ２２、Ｓ２３、Ｓ２４）と、リセット（Ｓ１６でＮＯ、Ｓ１７でＮＯ、Ｓ２１）とが繰り返されつつ、ワンセグ再生形態が維持される（Ｓ１８）。従って、このように放送信号の受信環境が不安定な状況では、ノイズ等に強い強階層のワンセグ放送信号を用いて情報（音声、映像）の再生（映像表示、音出力）がなされる。
【００３８】
上記のようにしてワンセグ再生形態が維持されている（Ｓ１８）状況において、放送信号の受信環境が改善されて、受信品質（Ｃ／Ｎ）が復帰品質レベルＴｈｘ（＝Ｔｈ１）を越えた状態（Ｓ１６でＹＥＳ）で、タイマＴが所定時間Ｔｏに達すると（Ｓ２４でＹＥＳ）、即ち、図３の時刻ｔ２と時刻ｔ３との間の状況のように、受信品質（Ｃ／Ｎ）が復帰品質レベルＴｈｘ（＝Ｔｈ１）を越えた状態が所定時間Ｔｏ継続すると、制御部１１は、ワンセグ再生形態からフルセグ再生形態に復帰させる（Ｓ２５：図３における時刻ｔ３参照）。これにより、ノイズ等に強い強階層のワンセグ放送信号を用いた情報（音声、映像）の再生（映像表示、音出力）から、弱階層のフルセグ放送信号に基づいた高品質な映像及び音声の再生（映像表示、音出力）に切換えられる。
【００３９】
上述したように、受信品質（Ｃ／Ｎ）に応じて、高品質なフルセグ再生形態と、品質が劣るワンセグ再生形態とが切換えられながら、情報（映像、音声）の再生がなされている過程で、制御部１１は、例えば、図４に示す手順に従って、チャンネルサーチ処理をバックグラウンド処理として実行する。
【００４０】
例えば、図５に示すように受信品質（Ｃ／Ｎ）が第１品質レベルＴｈ１（切換え品質レベル）まで低下して情報（映像情報、音声情報）の再生が、フルセグ再生形態からワンセグ再生形態に切換った状態において、所定の場合（例えば、利用者によりチャンネルサーチ処理を行わない動作モードが設定されている場合、受信品質の低下が著しい場合等）を除いて、例えば、前記ワンセグ再生形態に切換った（時刻ｔ１）後のあるタイミング（時刻ｔ１１）で、チャンネルサーチ処理が実行される。
【００４１】
制御部１１における切換え制御部１１２が切換え部１３を制御することにより、４つのチューナ部１２ａ〜１２ｄのうち、２つのチューナ部１２ａ、１２ｂが、第１のＯＦＤＭ復調部１４ａに接続されて、今まで選局されているチャンネルの放送信号の受信のために引き続き用いられ、残りの２つのチューナ部１２ｃ、１２ｄが、第２のＯＦＤＭ復調部１４ｂに接続されて、チャンネルサーチのために用いられる。２つのチューナ部１２ａ、１２ｂにて選局されているチャンネルの放送信号を用いたワンセグ再生形態での情報（映像、音声）の再生と並行して、制御部１１（サーチ処理部１１３）は、残りのチューナ部１２ｃ、１２ｄを制御して、図４に示す手順に従ってチャンネルサーチ処理（バックグラウンド処理）を行う。なお、今まで選局されているチャンネルの放送信号が４つのチューナ部１２ａ〜１２ｄを用いて受信され、ダイバーシティ合成（４ダイバー合成）されていたが、チャンネルサーチ処理の開始によって、２つのチューナ部１２ａ、１２ｂを用いた受信に切換えられるので、チャンネルサーチ処理開始後に継続される今まで選局されているチャンネルの放送信号の受信品質（Ｃ／Ｎ）は、例えば、図５に示すチャンネルサーチ期間（時刻ｔ１１〜時刻ｔ２１）における破線で示す特性から実線で示す特性のように僅かに低下する（ただし、ワンセグ再生形態での情報の再生が可能な品質レベル範囲内）。
【００４２】
図４において、制御部１１におけるサーチ処理部１１３（バックグラウンド処理手段）は、既に受信しているＮＩＴ（Network Information Table）に定められた受信可能な周波数帯域から１つのチャンネル周波数を選択して設定し（Ｓ３１）、その設定チャンネル周波数の放送信号（ＯＦＤＭ信号）が２つのチューナ部１２ｃ、１２ｄにて受信されるか否かを判定する（Ｓ３２）。前記設定チャンネル周波数の放送信号（ＯＦＤＭ信号）を受信することができない場合（Ｓ３２でＮＯ）、サーチ処理部１１３は、図２に示すフルセグ再生形態とワンセグ再生形態との切換え処理において用いられているタイマＴが所定時間Ｔｏに達したか否かを判定する（Ｓ３６）。ワンセグ再生形態での情報の再生が維持されている状況であって前記タイマＴが所定時間Ｔｏに達していなければ（Ｓ３６でＮＯ）、サーチ処理部１１３は、全てのチャンネルについてのサーチが終了したか否かを判定する（Ｓ３７）。
【００４３】
全てのチャンネルについてのサーチが終了していなければ（Ｓ３７でＮＯ）、サーチ処理部１１３は、次のチャンネル周波数を設定し（Ｓ３１）、その設定チャンネル周波数の放送信号（ＯＦＤＭ信号）が２つのチューナ部１２ｃ、１２ｄにて受信されるか否かを判定する（Ｓ３２）。前記設定チャンネル周波数の放送信号（ＯＦＤＭ信号）が２つのチューナ部１２ｃ、１２ｄにて受信されると（Ｓ３２でＹＥＳ）、サーチ処理部１１３は、その受信される放送信号によってフルセグ再生形態での情報の再生が可能であるか否か、即ち、受信品質（Ｃ／Ｎ）が第１品質レベルＴｈ１（切換え品質レベル）を越えているか否かを判定する（Ｓ３３）。なお、ここでは、２つのチューナ部１２ｃ、１２ｄでの受信結果に基づいて、４つのチューナ部１２ａ〜１２ｄで受信してダイバーシティ合成した場合の受信品質を推定判断している。その受信品質（推定受信品質）が第１受信品質レベルＴｈ１以下であって、前記受信された放送信号によってフルセグ再生形態での情報の再生が可能ではないと判定されると（Ｓ３３でＮＯ）、前記タイマＴが前記所定時間Ｔｏに達していないこと（Ｓ３６でＮＯ）、及び全チャンネルのサーチが終了していないこと（Ｓ３７でＮＯ）を確認した後に、サーチ処理部１１３は、次のチャンネル周波数を設定する（Ｓ３１）。
【００４４】
更に、設定された次のチャンネル周波数の放送信号（ＯＦＤＭ信号）が受信され（Ｓ３２でＹＥＳ）、その受信される放送信号によってフルセグ再生形態での情報の再生が可能であると判定されると（Ｓ３３でＹＥＳ）、サーチ処理部１１３は、その受信される放送信号のチャンネルが、現在選局されてワンセグ再生形態にて情報（放送番組の映像、放送番組の音声）の再生がなされている放送信号のチャンネルと同じ番組を放送している中継チャンネルであるか否かを判定する（Ｓ３４）。前記受信される放送信号のチャンネルが中継チャンネルではないと判定されると（Ｓ３４でＮＯ）、再度、前記タイマＴが前記所定時間Ｔｏに達していないこと（Ｓ３６でＮＯ）、及び全チャンネルのサーチが終了していないこと（Ｓ３７でＮＯ）を確認した後に、サーチ処理部１１３は、更に次のチャンネル周波数を設定する（Ｓ３１）。
【００４５】
このようにして、サーチ処理部１１３は、タイマＴが所定時間Ｔｏに達していないことを確認しつつ（Ｓ３６）、チャンネル周波数を順次変えて（Ｓ３７、Ｓ３１）、そのチャンネル周波数の放送信号がフルセグ再生形態での情報の再生が可能な中継チャンネルの放送信号であるか否かを判定する（Ｓ３２〜Ｓ３４）。その過程で、設定されたチャンネル周波数の放送信号がフルセグ再生形態での情報の再生が可能な中継チャンネルの放送信号であると判定すると（Ｓ３２でＹＥＳ、Ｓ３３でＹＥＳ、Ｓ３４でＹＥＳ）、サーチ処理部１１３は、その中継チャンネルを、現在選局されているチャンネルに代えて、受信・再生すべきチャンネルとして選局することを決定し（Ｓ３５）、チャンネルサーチ処理を終了する。
【００４６】
図２に示す手順に従ってフルセグ再生形態からワンセグ再生形態に切り換えられ（Ｓ１３）、更に上述したチャンネルサーチ処理（図４参照）がなされる状況において、制御部１１は、サーチ処理部１１３によるチャンネルサーチ処理がなされることを確認すると（Ｓ１４でＹＥＳ）、前記フルセグ再生形態からワンセグ再生形態に切り換える条件である前記第１品質レベルＴｈ１（切換え品質レベル）より低い第２品質レベルＴｈ２をワンセグ再生形態からフルセグ再生形態に復帰させる復帰条件の復帰品質レベルＴｈｘとして設定する（Ｓ２０）。これは、この復帰品質レベルＴｈｘ（＝Ｔｈ２）が、前述したチャンネルサーチ処理がなされない場合における復帰品質レベルＴｈｘ（＝Ｔｈ１）より低いことを意味する。
【００４７】
以後、制御部１１は、前述した手順と同様の手順（Ｓ１６、Ｓ１７でＹＥＳ、Ｓ１８、Ｓ１９、または、Ｓ１６、Ｓ２２〜Ｓ２４、Ｓ１８、Ｓ１９、または、Ｓ１６、Ｓ１７でＮＯ、Ｓ２１、Ｓ１８、Ｓ１９）に従って処理を行ってワンセグ再生形態を維持させる。その過程で、前記チャンネルサーチ処理にて受信品質が良好な中継チャンネルが見つかって、該チャンネルサーチ処理に用いられる２つのチューナ部１２ｃ、１２ｄ以外の２つのチューナ部１２ａ、１２ｂにて受信される放送信号の受信品質が、例えば、図５に示す時刻ｔ２において、前記設定された比較的低い復帰品質レベルＴｈｘ（＝第２品質レベルＴｈ２）を越え（Ｓ１６でＹＥＳ）、更に、その受信品質が前記復帰品質レベルＴｈｘ（＝第２品質レベルＴｈ２）を越えた状態が所定時間Ｔｏ継続すると（Ｓ２４でＹＥＳ）、制御部１１は、ワンセグ再生形態からフルセグ再生形態に復帰させる（Ｓ２５：図５における時刻ｔ３参照）。チャンネルサーチ処理により受信品質が良好な中継チャンネルが見つかると、フルセグ再生形態に復帰する（図５における時刻ｔ３）前に、チャンネルサーチ処理が終了し（図５における時刻ｔ２１）、全チューナ部１２ａ〜１２ｃにて受信さる前記中継チャンネルの放送信号（ワンセグ放送信号）を用いた情報（音声、映像）の再生がなされる。そして、フルセグ再生形態に切換った時点（図５における時刻ｔ３）から、前記中継チャンネルの放送信号に含まれる弱階層のフルセル放送信号に基づいた高品質な映像及び音声の再生に切り換えられる。
【００４８】
上述したような放送受信装置１０（車載用の地上デジタル放送受信装置）では、強階層のワンセグ放送信号を用いた情報の再生がなされるワンセグ再生形態において、４つのチューナ１２部ａ〜１２ｄのうちの２つのチューナ部１２ａ、１２ｂを放送信号の受信に用いつつ、残りの２つのチューナ部１２ｃ、１２ｄを用いてチャンネルサーチ処理（バックグラウンド処理）がなされる場合、ワンセグ再生形態から弱階層のフルセグ放送信号を用いた情報の再生がなされるフルセグ再生形態に復帰するための条件となる復帰品質レベルＴｈｘが、前記バックグラウンド処理がなされない場合の復帰品質レベルＴｈｘ（＝第１品質レベルＴｈ１）に比べて低い、また同時に、前記フルセグ再生形態から前記ワンセグ再生形態に切換るための条件である切換え品質レベル（第１品質レベル）Ｔｈ１に比べて低い第２品質レベルＴｈ２に設定される。この場合、チャンネルサーチ処理のために４つのチューナ部１２ａ〜１２ｄのうちの２つのチューナ部１２ｃ、１２ｄが用いられ、前記２つのチューナ部１２ａ、１２ｂによる放送信号の受信品質が全４つのチューナ部１２ａ〜１２ｄによる放送信号の受信品質より低下しても、比較的低い復帰受信品質レベル（＝Ｔｈ２＜Ｔｈ１）を基準にして前記ワンセグ再生形態から前記フルセグ再生形態への復帰が判断される。従って、強階層のワンセグ放送信号を用いた情報の再生（ワンセグ再生形態）から弱階層のフルセグ放送信号を用いた情報の再生（フルセグ再生形態）への復帰の遅れを極力少なくすることができる。
【００４９】
制御部１１は、図２に示す手順に代えて、図６に示す手順に従ってフルセグ再生形態とワンセグ再生形態の切換えを行うことができる。この例は、ワンセグ再生形態からフルセグ再生形態への復帰の条件である受信品質が復帰品質レベルを越えた状態が継続される時間（復帰品質継続時間）が、チャンネルサーチ処理を行う場合、チャンネルサーチ処理を行わない場合に比べて短くなることを特徴としている。なお、図６において、図２におけるステップを示す参照符号と同じ参照符号は、同じステップを示している。
【００５０】
図６において、チャンネルサーチ処理が行われない場合、受信品質が切換え品質レベルＴｈ１以下になると（例えば、図３における時刻ｔ１）、フルセグ再生形態からワンセグ再生形態に切り換えられ（Ｓ１１〜Ｓ１３）、ワンセグ再生形態からフルセグ再生形態への復帰条件である受信品質が復帰品質レベルを越えた状態が継続される時間、即ち、復帰品質継続時間ＴｘがＴｏに設定される（Ｓ１５１）。それに加えて、ワンセグ再生形態からフルセグ再生形態への復帰条件である復帰品質レベルは、フルセグ再生形態からワンセグ再生形態への切換え条件である切換え品質レベルＴｈ１（Ｓ１６参照）と同じである。このため、チャンネルサーチ処理が行われない場合、実質的に図２に示す処理と同様の処理（Ｓ１１〜Ｓ１４、Ｓ１５１、Ｓ１６〜Ｓ１８、Ｓ１９１、Ｓ２１、Ｓ２２〜Ｓ２４、Ｓ２５）が行われる。その結果、図３に示すように、４つのチューナ部１２ａ〜１２ｄにて受信される放送信号の受信品質が切換え品質レベルＴｈ１以下になると（時刻ｔ１）、フルセグ再生形態からワンセグ再生形態に切換り、その後、その受信品質が前記切換え品質レベルと同じ復帰品質レベルＴｈ１を越えて（時刻ｔ２）、その受信品質が復帰品質レベルＴｈ１を越えた状態が復帰品質継続時間として設定された時間Ｔｏ継続すると（時刻ｔ３）、ワンセグ再生形態からフルセグ再生形態に復帰する。
【００５１】
一方、フルセグ再生形態からワンセグ再生形態に切換えられ、更に、上述したチャンネルサーチ処理（図４参照）がなされる場合、制御部１１は、サーチ処理部１１３によるチャンネルサーチ処理がなされることを確認すると（Ｓ１４でＹＥＳ）、前記フルセグ再生形態からワンセグ再生形態に切り換える条件である復帰品質継続時間Ｔｘを、前記所定時間Ｔｏより短い時間Ｔ１に設定する（Ｓ２０１）。
【００５２】
以後、制御部１１は、前述した手順と同様の手順（Ｓ１６、Ｓ１７でＹＥＳ、Ｓ１８、Ｓ１９１、または、Ｓ１６、Ｓ２２〜Ｓ２４、Ｓ１８、Ｓ１９１、または、Ｓ１６、Ｓ１７でＮＯ、Ｓ２１、Ｓ１８、Ｓ１９１）に従って処理を行ってワンセグ再生形態を維持させる。その過程で、前記チャンネルサーチ処理にて受信品質が良好な中継チャンネルが見つかって、該チャンネルサーチ処理に用いられる２つのチューナ部１２ｃ、１２ｄ以外の２つのチューナ部１２ａ、１２ｂにて受信される放送信号の受信品質が、例えば、図７に示すように、チャンネルサーチ処理を行わない場合（放送受信に４つのチューナ部１２ａ〜１２ｄが用いられる）に予想される時刻ｔ２より遅れた時刻ｔ２１において、復帰品質レベルＴｈ１（＝切換え品質レベル）を越える（Ｓ１６でＹＥＳ）。そして、その受信品質が復帰品質レベルＴｈ１を越えた状態が、前記復帰品質継続時間Ｔｘとして設定された時間（＝Ｔ１＜Ｔｏ）継続すると（Ｓ２４でＹＥＳ）、ワンセグ再生形態からフルセグ再生形態に復帰する（Ｓ２５：図７における時刻ｔ３）。
【００５３】
この場合も、図５に示した場合と同様に、チャンネルサーチ処理により受信品質が良好な中継チャンネルが見つかると、フルセグ再生形態に復帰する（図７における時刻ｔ３）前に、チャンネルサーチ処理が終了し（図７における概ね時刻ｔ２１）、全チューナ部１２ａ〜１２ｃにて受信さる前記中継チャンネルの放送信号（ワンセグ放送信号）を用いた情報（音声、映像）の再生がなされる。そして、フルセグ再生形態に切換った時点（図７における時刻ｔ３）から、前記中継チャンネルの放送信号に含まれる弱階層のフルセグ放送信号に基づいた高品質な映像及び音声の再生に切り換えられる。
【００５４】
図６に示すような手順に従ってフルセグ再生形態とワンセグ再生形態とを切り換える放送受信装置１０（車載用の地上デジタル放送受信装置）では、強階層のワンセグ放送信号を用いた情報の再生がなされるワンセグ再生形態において、４つのチューナ部１２ａ〜１２ｄのうちの２つのチューナ部１２ａ、１２ｂを放送信号の受信に用いつつ、残りの２つのチューナ部１２ｃ、１２ｄを用いてチャンネルサーチ処理（バックグラウンド処理）がなされる場合に、前記ワンセグ再生形態から弱階層のフルセグ放送信号を用いた情報の再生がなされるフルセグ再生形態に復帰するための条件である受信品質の復帰品質レベルを越えた状態が継続される時間として定義される復帰継続時間Ｔｘが、前記バックグラウンド処理がなされない場合における当該時間Ｔｏより短い時間Ｔ１に設定される。この場合、前記２つのチューナ部１２ａ、１２ｂでの放送信号の受信品質が４つ全てのチューナ部１２ａ〜１２ｄでの放送信号の受信品質より低下することに起因してその受信品質の復帰品質レベルＴｈ１への到達が遅れたとしても、受信品質が復帰品質レベルＴｈ１に達した後の前記復帰品質レベルを継続すべき時間Ｔｘがより短くなる。従って、強階層のワンセグ放送信号を用いた情報の再生（ワンセグ再生形態）から弱階層のフルセグ放送信号を用いた情報の再生（フルセグ再生形態）への復帰の遅れを極力少なくすることができる。
【００５５】
なお、前述した例では、バックグラウンド処理としてチャンネルサーチ処理を実行するものであったが、例えば、ＥＰＧ情報を取得するための処理（ＥＰＧ作成部１１４での処理）等、他の処理をバックグラウンド処理として実行するものであってもよい。
【００５６】
また、バックグラウンド処理を実行する場合の前記復帰品質レベルＴｈｘ及び前記復帰継続時間Ｔｘの双方を、バックグラウンド処理を実行しない場合のそれらより低く及び短く設定するようにしてもよい。
【産業上の利用可能性】
【００５７】
本発明に係る放送受信装置は、強階層の放送信号を用いた情報の再生から弱階層の放送信号を用いた情報の再生への復帰の遅れを極力少なくするこができるという効果を有し、地上デジタル放送のように、階層伝送によりデジタル放送される、弱階層の放送信号及び強階層の放送信号を受信しつつ、チャンネルサーチ等のバックグラウンド処理を行う放送受信装置として有用である。
【符号の説明】
【００５８】
１０  放送受信装置
１１  制御部
１２  受信部
１２ａ〜１２ｂ  チューナ部
１３  切換え部
１４ａ  第１のＯＦＤＭ復調部
１４ｂ  第２のＯＦＤＭ復調部
１５  デコーダ
１６  表示処理部
１７  デジタル／アナログ変換器（Ｄ／Ａ変換器）
２０  センタユニット
２１  表示装置
２２  操作部
２５  スピーカ
１１１  受信状態判定部
１１２  切換え制御部
１１３  サーチ処理部
１１４  ＥＰＧ作成部
【図１】
2014165698.tif 000003
【図２】
2014165698.tif 000004
【図３】
2014165698.tif 000005
【図４】
2014165698.tif 000006
【図５】
2014165698.tif 000007
【図６】
2014165698.tif 000008
【図７】
2014165698.tif 000009